(57)【特許請求の範囲】
【請求項１】
複数の太陽電池モジュールと、配置特定装置とを含む太陽光発電システムであって、
前記複数の太陽電池モジュールのそれぞれは、
互いに異なる方向へ向けて配置された複数の受信手段と、
他の前記太陽電池モジュールの識別情報を前記複数の受信手段が受信すると、前記複数の受信手段が受信した識別情報を前記受信手段が向いている方向に対応付けて記憶するための受信情報記憶手段と、
前記配置特定装置と通信するための通信手段と、
当該太陽電池モジュールを識別するための識別情報を予め記憶するための送信情報記憶手段と、
互いに異なる方向へ向けて配置された複数の送信手段と、
制御手段とを含み、
前記配置特定装置は、
前記複数の太陽電池モジュールと通信するための装置通信手段と、
前記装置通信手段が前記識別情報を受信すると、受信された前記識別情報を記憶するための装置記憶手段と、
制御手段とを含み、
前記配置特定装置の制御手段は、前記装置記憶手段が記憶した情報に基づいて、前記複数の太陽電池モジュールの配置を示す配置情報を作成するための作成手段と、
前記複数の太陽電池モジュールへ指示情報を送信するように前記装置通信手段を制御するための指示制御手段を含み、
前記太陽電池モジュールの制御手段は、前記太陽電池モジュールの通信手段が前記指示情報を受信すると、前記送信情報記憶手段が予め記憶した識別情報を送信するように前記複数の送信手段を制御するための送信制御手段を含み、
前記太陽電池モジュールの制御手段は、前記他の太陽電池モジュールの識別情報に加え、前記送信情報記憶手段が予め記憶した識別情報を前記配置特定装置に送信するように、前記通信手段を制御するための手段を含み、
前記太陽電池モジュールの通信手段が送信する識別情報は、前記他の太陽電池モジュールの識別情報か否かと前記受信手段が向いている方向とに応じた順序で送信され、
前記配置特定装置の装置記憶手段は、前記装置通信手段が受信した識別情報を、前記複数の太陽電池モジュール同士の配置に対応付けて記憶するための受信情報記憶手段を含み、
前記作成手段は、前記複数の太陽電池モジュール同士の配置に対応付けて記憶された識別情報に基づいて、前記配置情報を作成するための手段を含む、太陽光発電システム。
【請求項２】
前記太陽電池モジュールの制御手段は、前記複数の受信手段がそれぞれ受信した前記他の太陽電池モジュールの識別情報を前記受信手段が向いている方向を示す数値に対応付けて送信するように、前記通信手段を制御するための通信制御手段を含む、請求項１に記載の太陽光発電システム。
【請求項３】
前記太陽電池モジュールの制御手段は、前記複数の受信手段がそれぞれ受信した前記他の太陽電池モジュールの識別情報を前記受信手段が向いている方向に対応する順序で送信するように、前記通信手段を制御するための通信制御手段を含む、請求項１に記載の太陽光発電システム。
【請求項４】
前記太陽電池モジュールの受信手段は、無線通信により前記識別情報を受信するための無線受信手段を含む、請求項１に記載の太陽光発電システム。
【請求項５】
前記無線受信手段は、赤外線を用いて前記識別情報を受信するための赤外線受信手段を含む、請求項４に記載の太陽光発電システム。
【請求項６】
前記赤外線受信手段は、前記太陽電池モジュールの受光面に対して交差した、互いに異なる方向へ向けて配置され、かつ、赤外線を用いて前記識別情報を受信するための手段を含む、請求項５に記載の太陽光発電システム。
【請求項７】
複数の太陽電池モジュールと、配置特定装置とを含む太陽光発電システムであって、
前記太陽電池モジュールは、
互いに異なる方向へ向けて配置された、識別情報を読取るための複数の読取手段と、
識別情報を表示するための複数の識別表示手段と、
前記複数の読取手段が読取った他の前記太陽電池モジュールの識別情報を前記読取手段が向いている方向に対応付けて記憶するための記憶手段と、
前記配置特定装置と通信するための通信手段と、
制御手段とを含み、
前記太陽電池モジュールの制御手段は、前記複数の読取手段がそれぞれ読取った識別情報を送信するように、前記通信手段を制御するための通信制御手段を含み、
前記太陽電池モジュールの通信手段が送信する識別情報は、前記読取手段が向いている方向に対応付けられ、
前記配置特定装置は、
前記複数の太陽電池モジュールと通信するための通信手段と、
前記複数の太陽電池モジュールから前記通信手段が前記識別情報を受信すると、前記複数の太陽電池モジュール同士の配置に対応付けて、受信した前記識別情報を記憶するための記憶手段と、
制御手段とを含み、
前記配置特定装置の制御手段は、前記記憶手段が記憶した情報に基づいて、前記複数の太陽電池モジュールの配置を示す配置情報を作成するための作成手段を含み、
前記配置情報を表示するための配置表示手段をさらに含む、太陽光発電システム。
【請求項８】
前記配置特定装置の制御手段は、前記複数の太陽電池モジュールへ指示情報を送信するように前記通信手段を制御するための指示制御手段をさらに含み、
前記太陽電池モジュールの制御手段は、前記通信手段が前記指示情報を受信すると、前記識別情報を読取るように前記複数の読取手段を制御するための読取制御手段をさらに含む、請求項７に記載の太陽光発電システム。
【請求項９】
前記太陽電池モジュールの通信手段が送信する識別情報は、前記他の太陽電池モジュールの識別情報か否かと前記読取手段が向いている方向とを示す数値に対応付けられる、請求項７に記載の太陽光発電システム。
【請求項１０】
前記太陽電池モジュールの通信手段が送信する識別情報は、前記他の太陽電池モジュールの識別情報か否かと前記読取手段が向いている方向とに対応する順序で送信される、請求項７に記載の太陽光発電システム。
【請求項１１】
前記識別表示手段は、前記太陽電池モジュールの受光面に対して交差した、互いに異なる方向へ向けて配置され、
前記複数の読取手段は、向けられた方向が同一の前記識別表示手段が前記識別情報を表示する位置に対し、間隔と方向とが一定となるように配置される、請求項７に記載の太陽光発電システム。
【発明の詳細な説明】
【技術分野】
【０００１】
本発明は、太陽光発電システムに関し、特に、配置に基づいて太陽電池モジュールを管理する太陽光発電システムに関する。
【背景技術】
【０００２】
現在、火力発電、自動車、あるいは工場などから放出される二酸化炭素により地球温暖化が進んでいる。このため、二酸化炭素を排出しないクリーンエネルギーとして太陽光発電が注目されている。
【０００３】
太陽光発電システムは、一般家庭の屋根や工場の敷地などに分散電源として設置される。太陽光発電システムは、発電した電力を商用系統に連系し逆潮流させる機能を有する。
【０００４】
通常、一度設置された太陽光発電システムは、太陽電池モジュールに太陽光が注いでいる時間帯には商用系統に自動的に逆潮流し、太陽電池モジュールに太陽光が注がない夜などの時間帯には商用系統から自動的に切離される。
【０００５】
図１７はこのような太陽光発電システムの構成例を示す。太陽電池ストリング１２０により発電された直流電力は、インバータ１０２により交流電力に変換される。インバータ１０２は、開閉器１０６を介して商用系統１１２に接続されている。インバータ１０２と開閉器１０６とを制御するための制御装置１０８が設置されている。
【０００６】
図１７の太陽光発電システムにおいて、制御装置１０８は、太陽電池ストリング１２０のいずれかが発電を始めたことを検出すると、インバータ１０２を起動するとともに、開閉器１０６を閉じる。
【０００７】
このような太陽光発電システムにおいては、太陽電池モジュールは屋根の上などのすぐに手が届かない位置に設置されることが多く、メンテナンス時やリコール品の交換時などに各太陽電池モジュールの製造番号および配置をすぐに確認できることについてのニーズが高い。
【０００８】
特許文献１および２に開示された発明は、このような問題を解決するための発明である。
【０００９】
特許文献１は、各太陽電池モジュールに管理の為の情報を記憶する太陽電池モジュールの管理方法を開示する。
【００１０】
特許文献１に開示された発明によると、各太陽電池モジュールにその太陽電池モジュールの個別の情報を記録し、読み出すことができる。
【００１１】
特許文献２は、太陽電池モジュール配置情報取得部と、太陽電池モジュール情報取得部と、系統情報取得部と、配線経路算出部と、結果出力部とを有する太陽電池モジュールの配線経路設計装置を開示する。太陽電池モジュール配置情報取得部は、配置情報を取得する。配置情報は、配置対象領域に配置される複数の太陽電池モジュールの配置位置を表す。太陽電池モジュール情報取得部は、各太陽電池モジュールに関するモジュール情報を取得する。モジュール情報は、接続部の情報を含む。接続部には、モジュール間ケーブルが接続される。モジュール間ケーブルは、太陽電池モジュール同士を電気的に接続する。系統情報取得部は、接続形態を含む系統情報を取得する。接続形態は、各太陽電池モジュールのうち少なくとも２つ以上から構成されるモジュール群に関する情報である。接続形態は、各モジュール群における太陽電池モジュール同士を直列接続および並列接続のいずれによって接続するかを表す。配線経路算出部は、配置情報、モジュール情報および系統情報に基づいて、各モジュール群が有する太陽電池モジュール同士を電気的に接続するモジュール間ケーブルの配線経路を算出する。結果出力部は、配線経路算出部によって、算出された配置経路を出力する。
【００１２】
特許文献２に開示された発明によると、太陽電池モジュールを配置するための設計作業において、太陽電池モジュールを電気的に接続するケーブルの配線経路を短時間で算出し、配線図を容易に作成することができる。
【特許文献１】特開２０００−６８５３７号公報
【特許文献２】特開２００３−２０８４５３号公報
【発明の開示】
【発明が解決しようとする課題】
【００１３】
しかしながら、特許文献１〜特許文献２に開示された発明では、太陽電池モジュールの現実の配置を知ることが難しいという問題点がある。
【００１４】
特許文献１に開示された発明では、各太陽電池モジュールが記憶装置を含み、個別の情報を記録しているが、配置情報を得ることはできない。また、配置情報を記憶させることには多大な労力が必要である。
【００１５】
特許文献２に開示された発明では、設置前の計画に基づいた配置情報が得られるに過ぎない。
【００１６】
本発明は上述の問題点を解決するためになされたものであって、その目的は、太陽電池モジュールの現実の配置を示す情報を得ることができる太陽光発電システムを提供することにある。
【課題を解決するための手段】
【００１７】
上記目的を達成するために、本発明のある局面に従うと、太陽光発電システムは、複数の太陽電池モジュールと、配置特定装置とを含む。太陽電池モジュールは、互いに異なる方向へ向けて配置された複数の受信手段と、受信情報記憶手段と、通信手段とを含む。受信情報記憶手段は、他の太陽電池モジュールの識別情報を複数の受信手段が受信すると、複数の受信手段が受信した識別情報を受信手段が向いている方向に対応付けて記憶する。通信手段は、配置特定装置と通信する。配置特定装置は、通信手段と、記憶手段と、制御手段とを含む。通信手段は、複数の太陽電池モジュールと通信する。記憶手段は、通信手段が識別情報を受信すると、受信された識別情報を記憶する。配置特定装置の制御手段は、作成手段を含む。作成手段は、記憶手段が記憶した情報に基づいて、複数の太陽電池モジュールの配置を示す配置情報を作成する。
【００１８】
また、上述の配置特定装置の制御手段は、指示制御手段をさらに含むことが望ましい。指示制御手段は、複数の太陽電池モジュールへ指示情報を送信するように通信手段を制御する。併せて、太陽電池モジュールは、送信情報記憶手段と、互いに異なる方向へ向けて配置された複数の送信手段と、制御手段とをさらに含むことが望ましい。送信情報記憶手段は、識別情報を予め記憶する。太陽電池モジュールの制御手段は、送信制御手段をさらに含むことが望ましい。送信制御手段は、通信手段が指示情報を受信すると、送信情報記憶手段が予め記憶した識別情報を送信するように複数の送信手段を制御する。
【００１９】
もしくは、上述の太陽電池モジュールの通信制御手段は、他の太陽電池モジュールの識別情報に加え、送信情報記憶手段が予め記憶した識別情報を配置特定装置に送信するように、通信手段を制御するための手段を含むことが望ましい。併せて、太陽電池モジュールの通信手段が送信する識別情報は、他の太陽電池モジュールの識別情報か否かと受信手段が向いている方向とに応じた順序で送信されることが望ましい。併せて、配置特定装置の記憶手段は、受信情報記憶手段を含むことが望ましい。受信情報記憶手段は、通信手段が受信した識別情報を、複数の太陽電池モジュール同士の配置に対応付けて記憶する。併せて、作成手段は、複数の太陽電池モジュール同士の配置に対応付けて記憶された識別情報に基づいて、配置情報を作成するための手段を含むことが望ましい。
【００２０】
また、上述の太陽電池モジュールは、制御手段をさらに含むことが望ましい。併せて、太陽電池モジュールの制御手段は、通信制御手段を含むことが望ましい。通信制御手段は、複数の受信手段がそれぞれ受信した他の太陽電池モジュールの識別情報を受信手段が向いている方向を示す数値に対応付けて送信するように、通信手段を制御する。
【００２１】
また、上述の太陽電池モジュールは、制御手段をさらに含むことが望ましい。太陽電池モジュールの制御手段は、通信制御手段を含むことが望ましい。通信制御手段は、複数の受信手段がそれぞれ受信した他の太陽電池モジュールの識別情報を受信手段が向いている方向に対応する順序で送信するように、通信手段を制御する。
【００２２】
また、上述の太陽電池モジュールの受信手段は、無線受信手段を含むことが望ましい。無線受信手段は、無線通信により識別情報を受信する。
【００２３】
もしくは、上述の無線受信手段は、赤外線受信手段を含むことが望ましい。赤外線受信手段は、赤外線を用いて識別情報を受信する。
【００２４】
もしくは、上述の赤外線受信手段は、太陽電池モジュールの受光面に対して交差した、互いに異なる方向へ向けて配置され、かつ、赤外線を用いて識別情報を送信するための手段を含むことが望ましい。
【００２５】
本発明の他の局面に従うと、太陽光発電システムは、複数の太陽電池モジュールと、配置特定装置とを含む。太陽電池モジュールは、互いに異なる方向へ向けて配置された複数の読取手段と、複数の表示手段と、記憶手段と、通信手段と、制御手段とを含む。複数の読取手段は、識別情報を読取る。表示手段は、識別情報を表示する。記憶手段は、複数の読取手段が読取った他の太陽電池モジュールの識別情報を読取手段が向いている方向に対応付けて記憶する。通信手段は、配置特定装置と通信する。太陽電池モジュールの制御手段は、通信制御手段を含む。通信制御手段は、複数の読取手段がそれぞれ読取った識別情報を送信するように、通信手段を制御する。太陽電池モジュールの通信手段が送信する識別情報は、読取手段が向いている方向に対応付けられる。配置特定装置は、通信手段と、記憶手段と、制御手段とを含む。通信手段は、複数の太陽電池モジュールと通信する。記憶手段は、複数の太陽電池モジュールから通信手段が識別情報を受信すると、複数の太陽電池モジュール同士の配置に対応付けて、受信した識別情報を記憶する。配置特定装置の制御手段は、作成手段を含む。作成手段は、記憶手段が記憶した情報に基づいて、配置情報を作成する。配置情報は、複数の太陽電池モジュールの配置を示す。配置特定装置は、表示手段をさらに含む。配置特定装置の表示手段は、配置情報を表示する。
【００２６】
また、上述した配置特定装置の制御手段は、指示制御手段をさらに含むことが望ましい。指示制御手段は、複数の太陽電池モジュールへ指示情報を送信するように通信手段を制御する。併せて、太陽電池モジュールの制御手段は、読取制御手段をさらに含むことが望ましい。読取制御手段は、通信手段が指示情報を受信すると、識別情報を読取るように複数の読取手段を制御する。
【００２７】
また、上述した太陽電池モジュールの通信手段が送信する識別情報は、他の太陽電池モジュールの識別情報か否かと読取手段が向いている方向とを示す数値に対応付けられることが望ましい。
【００２８】
また、上述した太陽電池モジュールの通信手段が送信する識別情報は、他の太陽電池モジュールの識別情報か否かと読取手段が向いている方向とに対応する順序で送信されることが望ましい。
【００２９】
また、上述した表示手段は、太陽電池モジュールの受光面に対して交差した、互いに異なる方向へ向けて配置されることが望ましい。併せて、複数の読取手段は、向けられた方向が同一の表示手段が識別情報を表示する位置に対し、間隔と方向とが一定となるように配置されることが望ましい。
【発明の効果】
【００３０】
本発明に係る太陽光発電システムは、太陽電池モジュールの現実の配置を示す情報を得ることができる。
【発明を実施するための最良の形態】
【００３１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３２】
図１は、本実施の形態に係る太陽光発電システムの構成を示す図である。図１を参照して、本実施の形態に係る太陽光発電システムは、複数の太陽電池モジュール１００と、インバータ１０２と、配置特定装置１０４とを含む。なお、図１には図示していないが、本実施の形態に係る太陽光発電システムは、開閉器１０６と制御装置１０８とをさらに含む。インバータ１０２は、開閉器１０６を介して商用系統１１２に接続されている。制御装置１０８は、インバータ１０２と開閉器１０６とを制御する。
【００３３】
本実施の形態に係る太陽電池モジュール１００は、単結晶シリコン系セルにより構成されている。この太陽電池モジュールの側面（受光面を正面としたときの側面）には、ＩｒＤＡ（Infrared Data Association）受信機２０２とＩｒＤＡ送信機２０４とが設置される。太陽電池モジュール１００の裏面（受光面を正面としたときの裏面）には、配置特定装置１０４と通信し、かつ、ＩＤおよび配置情報を記憶するための、モジュール通信装置２０６が設置される。
【００３４】
インバータ１０２は、直列に接続された複数の太陽電池モジュール１００（太陽電池ストリング）から出力される直流電力を有効な電力形態（本実施の形態の場合は交流電力）に変換する。インバータ１０２は、太陽電池ストリングそれぞれから（すなわち、本実施の形態の場合、図１に示す太陽電池モジュール１００は、複数の太陽電池ストリングを構成している）出力される直流電力を有効な電力形態に変換するのみでなく、最大電力点追従制御により、各太陽電池ストリングの発電電力を最大にする。
【００３５】
配置特定装置１０４は、太陽電池モジュール１００の配置を表示する。配置特定装置１０４は、各太陽電池モジュール１００と通信線１０３を介して接続される。この接続線は、各太陽電池モジュール１００に通信指令信号を送るための線である。本実施の形態の場合、通信プロトコルはＲＳ４８５である。配置特定装置１０４は脱着可能であり、太陽電池モジュール１００の配置を調査しない間は取り外される。その配置を調査する際、サービスマンが配置特定装置１０４を持参し、上述した通信線１０３に接続して使用する。
【００３６】
開閉器１０６は、本実施の形態に係る太陽光発電システムを図示しない商用系統に接続する。制御装置１０８は、インバータ１０２と開閉器１０６とを制御する。
【００３７】
図２は、本実施の形態にかかる太陽電池モジュール１００を受光面から見た外観図である。図３は、本実施の形態にかかる太陽電池モジュール１００を裏面（受光面を正面としたときの裏面）から見た外観図である。
【００３８】
図２から明らかなように、太陽電池モジュール１００の受光面には、複数の単結晶シリコン系セル２００が縦６枚横７枚に並べられている。それらは電気的に直列接続され、発電した電力を外部に出力する。
【００３９】
この太陽電池モジュール１００の各側面（受光面を正面としたときの側面。言い換えると、太陽電池モジュール１００の受光面に対して交差し、かつ、互いに異なる方向を向く面。）には、ＩｒＤＡ受信機２０２とＩｒＤＡ送信機２０４とが設置される。
【００４０】
ＩｒＤＡ受信機２０２は、他の太陽電池モジュール１００からそのＩＤを受信する。ＩｒＤＡ受信機２０２は、図示しないＲＡＭ（Random Access Memory）を内蔵している。このＲＡＭは、他の太陽電池モジュール１００のＩｒＤＡ送信機２０４から受信したＩＤ（すなわち太陽電池モジュール１００同士を識別するための識別情報）と、ＩＤに対応付けられた設置方向データとを記憶する。本実施の形態において、「設置方向データ」は、ＩＤを送信した他の太陽電池モジュール１００が、このＲＡＭが搭載されている太陽電池モジュール１００に対してどの方向にあるかを示すデータである。「設置方向データ」は、ＩｒＤＡ受信機２０２がどの方向からＩＤを受信したかを示す情報でもある。
【００４１】
ＩｒＤＡ送信機２０４は、後述するフラッシュメモリ３０６が記憶したＩＤを受信し、他の太陽電池モジュール１００に送信する。これにより、ＩｒＤＡ送信機２０４が送信するＩＤは、フラッシュメモリ３０６が記憶したＩＤと同一の情報になる。勿論、フラッシュメモリ３０６が記憶したＩＤを受信するのではなく、図示しないメモリにフラッシュメモリ３０６が記憶したＩＤと同一の情報を予め記憶させておき、そのＩＤを送信してもよい。
【００４２】
ＩｒＤＡ受信機２０２やＩｒＤＡ送信機２０４は、太陽電池モジュール１００が設置されたとき、他の太陽電池モジュール１００のＩｒＤＡ受信機２０２やＩｒＤＡ送信機２０４に向かい合うように設置される。より具体的に説明すると、ＩｒＤＡ受信機２０２やＩｒＤＡ送信機２０４は、どの側面に設けられたものも一定の間隔と一定の位置関係とを保つように設置される。
【００４３】
太陽電池モジュール１００の裏面（受光面を正面としたときの裏面）には、モジュール通信装置２０６と、コネクタ２０８と、端子ボックス２１０とが設置される。モジュール通信装置２０６は、配置特定装置１０４と通信する。コネクタ２０８には、上述した通信線１０３が接続される。端子ボックス２１０は、太陽電池モジュール１００の電力を出力する。
【００４４】
図４は、本実施の形態にかかるモジュール通信装置２０６の具体的な構成を示す図である。モジュール通信装置２０６は、８ビットマイクロコンピュータ（以下、「８ビットマイコン」と称する）３００と、ＲＳ４８５通信ＩＣ（Integrated Circuit）３０２ａと、ＲＳ４８５通信ＩＣ３０２ｂと、ＲＳ４８５通信ＩＣ３０３と、通信ポート３０４ａと、通信ポート３０４ｂと、通信ポート３０５と、フラッシュメモリ３０６と、電源回路３０８とを含む。なお、本実施の形態においては、ＲＳ４８５通信ＩＣ３０２ａとＲＳ４８５通信ＩＣ３０２ｂとを「ＲＳ４８５通信ＩＣ３０２」と総称し、通信ポート３０４ａと通信ポート３０４ｂとを「通信ポート３０４」と総称する。
【００４５】
８ビットマイコン３００は、通信の制御やメモリ管理を行う。ＲＳ４８５通信ＩＣ３０２ａは、ＩｒＤＡ受信機２０２による通信のための情報処理を行う。ＲＳ４８５通信ＩＣ３０２ｂは、ＩｒＤＡ送信機２０４による通信のための情報処理を行う。ＲＳ４８５通信ＩＣ３０３は、配置特定装置１０４との通信のための情報処理を行う。通信ポート３０４ａは、ＩｒＤＡ受信機２０２から信号を受付ける。通信ポート３０４ｂは、ＩｒＤＡ送信機２０４に信号を出力する。通信ポート３０５は、配置特定装置１０４から信号を受付けたり、配置特定装置１０４に信号を出力したりする。フラッシュメモリ３０６は、各ＩｒＤＡ受信機２０２から受信する設置方向データ（この設置方向データは、各ＩｒＤＡ受信機２０２が予め記憶したデータである。）と、設置方向データに対応付けられた、隣接する太陽電池モジュール１００のＩＤと（本来、ＩｒＤＡ受信機２０２は、受信したＩＤをＲＡＭにいったん記憶させず、このフラッシュメモリ３０６に記憶させてもよい。しかしながら、本実施の形態においては、ＩｒＤＡ受信機２０２は、受信したＩＤをＲＡＭにいったん記憶させることとする）、自らが含まれた太陽電池モジュール１００のＩＤとを記憶する。なお、本実施の形態の場合、これらのＩＤやデータは、フラッシュメモリ３０６の互いに異なる領域に記憶される。また、フラッシュメモリ３０６に代え、他の種類の不揮発性メモリが含まれていてもよい。電源回路３０８は、太陽電池モジュール１００が発電した電力をＤＣ５Ｖの直流電力に変換して、モジュール通信装置２０６の各部、すなわち、８ビットマイコン３００と、ＲＳ４８５通信ＩＣ３０２と、ＲＳ４８５通信ＩＣ３０３と、通信ポート３０４と、通信ポート３０５と、フラッシュメモリ３０６とに供給する。
【００４６】
図５は、本実施の形態にかかるモジュール通信装置２０６の機能ブロック図である。図５を参照して、本実施の形態にかかるモジュール通信装置２０６は、宛先識別部３５０と、通信制御部３５２と、送信制御部３５４とを含む。宛先識別部３５０は、配置特定装置１０４から通信ポート３０５が受信した情報の宛先を識別する。通信制御部３５２は、後述するＩＤ送信要求を配置特定装置１０４から通信ポート３０５が受信すると、フラッシュメモリ３０６が予め記憶したＩＤと複数のＩｒＤＡ受信機２０２がそれぞれ受信した他の太陽電池モジュール１００のＩＤとを送信するように、ＲＳ４８５通信ＩＣ３０３および通信ポート３０５を制御する。送信制御部３５４は、後述するＩＤ通信指令を通信ポート３０５が受信すると、フラッシュメモリ３０６が予め記憶したＩＤを送信するように各ＩｒＤＡ送信機２０４を制御する。
【００４７】
図６は、本実施の形態における太陽電池モジュール１００の具体的な配置を示す図である。屋根５００の上に、３枚の太陽電池モジュール１００が１列に設置され、５枚の太陽電池モジュール１００が１列に設置される。これらの太陽電池モジュール１００は、ＩｒＤＡ受信機２０２とＩｒＤＡ送信機２０４とが隣接する太陽電池モジュール１００同士で向かい合うように設置される。上述したように、それぞれの太陽電池モジュール１００には通信線１０３が接続され、太陽電池モジュール１００のモジュール通信装置２０６は、その通信線１０３を介して配置特定装置１０４と通信する。なお、図６において、各太陽電池モジュール１００を示す部分には、本実施の形態におけるそれらのＩＤが示されている。
【００４８】
図７は、本実施の形態にかかる配置特定装置１０４の具体的な構成を示す図である。本実施の形態にかかる配置特定装置１０４は、制御部４００と表示部４０２とを含む。本実施の形態においては、制御部４００と表示部４０２とは、１つの筐体４３２に収容されている。
【００４９】
制御部４００は、太陽電池モジュール１００の配置を示す画像データ（本実施の形態の場合はビットマップデータ）を作成する。表示部４０２は、制御部４００から渡される画像データに基づき、屋根５００に設置された太陽電池モジュール１００の配置を示す画像を表示する。
【００５０】
制御部４００は、８ビットマイコン４１０と、フラッシュメモリ４１２（他の種類の不揮発性メモリであってもよいことは言うまでもないが、本実施の形態においてはフラッシュメモリであることとする。）と、操作部４１４と、電源回路４１６と、通信部４１８とを含む。
【００５１】
表示部４０２は、液晶コントローラＩＣ４２０と、表示ＲＡＭ４２２と、ＴＦＴ（Thin Film Transistor）液晶モジュール４２４と、バックライト４２６と、バックライト用電源回路４２８とを含む。
【００５２】
８ビットマイコン４１０は、配置特定装置１０４の各部、すなわち、フラッシュメモリ４１２と、操作部４１４と、通信部４１８と、液晶コントローラＩＣ４２０と、表示ＲＡＭ４２２と、バックライト４２６と、バックライト用電源回路４２８とを制御する。８ビットマイコン４１０は、ＴＦＴ液晶モジュール４２４が表示する画像の画像データを作成する。フラッシュメモリ４１２は、８ビットマイコン４１０が作成した画像データその他の情報を記憶する。操作部４１４は、サービスマンの操作に応じて信号を生成することで、その操作が示す情報の入力を受付ける。電源回路４１６は、８ビットマイコン４１０と操作部４１４と通信部４１８とに電力を供給する。通信部４１８は、各太陽電池モジュール１００のモジュール通信装置２０６と通信する。
【００５３】
液晶コントローラＩＣ４２０は、ＴＦＴ液晶モジュール４２４を制御する。表示ＲＡＭ４２２は、ＴＦＴ液晶モジュール４２４が表示する画像の画像データを一時的に記憶する。ＴＦＴ液晶モジュール４２４は、画像を表示する。バックライト４２６は、ＴＦＴ液晶モジュール４２４を介して光を放射することで、ＴＦＴ液晶モジュール４２４に表示された画像を見易くする。バックライト用電源回路４２８は、バックライト４２６に電力を供給する。
【００５４】
なお、電源回路４１６が供給する電力とバックライト用電源回路４２８が供給する電力とは、乾電池４３０が供給する。
【００５５】
図８は、本実施の形態に係る８ビットマイコン４１０の機能ブロック図である。本実施の形態に係る８ビットマイコン４１０は、指示識別部４４０と、指示制御部４４２と、要求制御部４４４と、記憶制御部４４６と、画像作成部４４８と、一般処理部４５０とを含む。
【００５６】
指示識別部４４０は、操作部４１４が受付けた指示の内容を識別する。指示制御部４４２は、通信線１０３を介して各太陽電池モジュール１００へ「ＩＤ通信指令」を送信するように通信部４１８を制御する。本実施の形態においては、この指令は、各太陽電池モジュール１００のＩｒＤＡ送信機２０４がＩＤを送信するよう指令する情報である。要求制御部４４４は、各太陽電池モジュール１００へ「ＩＤ送信要求」を送信するように通信部４１８を制御する。本実施の形態においては、この要求は、各太陽電池モジュール１００に対し、自分自身のＩＤと他の太陽電池モジュール１００のＩＤ（他の太陽電池モジュール１００から受信し、記憶しておいたもの）との送信を要求することを示す情報である。記憶制御部４４６は、各太陽電池モジュール１００のＩＤをそれらの太陽電池モジュールの同士の配置に対応付けて記憶するようにフラッシュメモリ４１２を制御する。画像作成部４４８は、記憶制御部４４６が記憶したＩＤに基づき、各太陽電池モジュール１００の配置を示す画像データを作成する。一般処理部４５０は、その画像データの作成以外のさまざまな処理を実施する。
【００５７】
要求制御部４４４は、第１要求部４６０と、第２要求部４６２とを含む。第１要求部４６０は、予め定められた太陽電池モジュール１００（本実施の形態においては、この太陽電池モジュール１００を「基準太陽電池モジュール」と称する）に対しＩＤ送信要求を送信するように、通信部４１８を制御する。第２要求部４６２は、基準太陽電池モジュール以外の太陽電池１００に対しＩＤ送信要求を送信するように、通信部４１８を制御する。これらの指令もまた、通信線１０３を介して送信される。
【００５８】
図９を参照して、配置特定装置１０４で実行されるプログラムは、配置情報の作成に関し、以下の制御を実行する。
【００５９】
ステップＳ６００にて、操作部４１４は、サービスマンの操作により入力された情報を受付ける。
【００６０】
ステップＳ６０２にて、指示識別部４４０は、操作部４１４が受付けた操作が太陽電池モジュール１００の配置を示す情報（配置情報）を表示するよう指示するものか否かを判断する。配置情報を表示するよう指示するものと判断した場合には（ステップＳ６０２にてＹＥＳ）、処理はステップＳ６０４へと移される。もしそうでないと（ステップＳ６０２にてＮＯ）、処理はステップＳ６１４へと移される。
【００６１】
ステップＳ６０４にて、指示制御部４４２は、ＩＤ通信指令を送信するよう通信部４１８を制御する。通信部４１８は、ＩＤ通信指令を送信する。
【００６２】
ステップＳ６０６にて、第１要求部４６０は、基準太陽電池モジュールに対し、自分自身と自分の周囲に配置された太陽電池モジュール１００とのＩＤを送信するよう指令する。具体的には、そのような指令（ＩＤ送信要求）を送信するよう通信部４１８を制御する。通信部４１８は、基準太陽電池モジュールのモジュール通信装置２０６にＩＤ送信要求を送信する。通信部４１８がそれらのＩＤを受信すると、記憶制御部４４６は、それらのＩＤを記憶するようにフラッシュメモリ４１２を制御する。併せて、記憶制御部４４６は、フラッシュメモリ４１２の所定の領域（本実施の形態においては、配置特定装置１０４の設計者が予め定めた領域もの。以下、本実施の形態において「キューリスト」と称する。）に、受信したＩＤのうち、基準太陽電池モジュールのＩＤ以外のＩＤを記憶させる。本実施の形態の場合、ＩＤが記憶されるアドレスの順序は、基準太陽電池モジュールに対する各太陽電池モジュール１００の配置に対応付けられている。本実施の形態の場合、基準太陽電池モジュールに対し、北、東、南、西の順にＩＤが記憶される。
【００６３】
ステップＳ６０８にて、第２要求部４６２は、キューリストのうち最も先のアドレスに記憶されたＩＤを読み出す。そのＩＤが「ＮＵＬＬ」（本実施の形態の場合、「ＮＵＬＬ」はＩＤが取得できなかったことを意味する。）でない場合、第２要求部４６２は、フラッシュメモリ４１２のうちＩＤを記憶する領域において、そのＩＤを検索する。そのＩＤがその領域に記憶されていない場合、第２要求部４６２は、そのＩＤが示す太陽電池モジュール１００のモジュール通信装置２０６に対し、自分自身と自分の周囲に配置された太陽電池モジュール１００とのＩＤを送信するよう指令する。具体的には、ＩＤ送信要求を送信するよう通信部４１８を制御する。その結果ＩＤが受信されると、ＩＤの送信元以外の太陽電池モジュール１００のＩＤが記憶制御部４４６によりキューリストに追加される。アドレスは、それまでに記憶されていたＩＤの後である。受信されたＩＤは（ＩＤの送信元以外の太陽電池モジュール１００のＩＤも含む）、ＩＤを記憶する領域にも記憶制御部４４６により記憶される。ＩＤを記憶する領域において、ＩＤは、太陽電池モジュール１００の配置に対応付けて記憶される。本実施の形態においては、東西に隣接する太陽電池モジュール１００のＩＤは隣接するアドレスに記憶され、南北に隣接する太陽電池モジュールのＩＤは離れたアドレス（本実施の形態の場合、それらのアドレスの間隔は設計者によって予め定められた一定値である）に記憶される。キューリストから読み出され、かつ、ＩＤを記憶する領域に記憶されていたＩＤは、記憶制御部４４６によりキューリストから削除される。キューリストにおいてＩＤが記憶されるアドレスは繰上げられる。検索の結果、ＩＤを記憶する領域にキューリストから読み出されたＩＤが記憶されている場合にも、そのＩＤは、記憶制御部４４６によりキューリストから削除される。キューリストにおけるアドレスが繰上げられることも同様である。キューリストから読み出されたＩＤが「ＮＵＬＬ」の場合も同様である。
【００６４】
ステップＳ６１０にて、第２要求部４６２は、キューリストにＩＤが記憶されているか否かに基づいて、すべての太陽電池モジュール１００のモジュール通信装置２０６からＩＤを受信したか否かを判断する。キューリストにＩＤが記憶されていなければ、すべてのモジュール通信装置からＩＤを受信したと判断される。ＩＤを受信したと判断した場合には（ステップＳ６１０にてＹＥＳ）、処理はステップＳ６１２へと移される。もしそうでないと（ステップＳ６１０にてＮＯ）、処理はステップＳ６０８へと移される。
【００６５】
ステップＳ６１２にて、画像作成部４４８は、フラッシュメモリ４１２のＩＤが記憶された領域の情報に基づき、配置情報を示すビットマップデータを作成する。
【００６６】
ステップＳ６１４にて、一般処理部４５０は、操作部４１４が受付けた指示に応じた処理を実施する。
【００６７】
図１０を参照して、本実施の形態に係るモジュール通信装置２０６が実行するプログラムは、ＩＤの通信に関し、以下のような制御を実行する。
【００６８】
ステップＳ６５０にて、宛先識別部３５０は、ＩＤ通信指令を示す信号を待受ける。
ステップＳ６５２にて、宛先識別部３５０は、ＩＤ通信指令が示す宛先が「ブロードバンド」（すべてのモジュール通信装置２０６を宛先とすること）であるか否かを識別する。ブロードバンドであると識別した場合、送信制御部３５４は、隣接する太陽電池モジュール１００のモジュール通信装置２０６に対し、ＩＤを要求する旨の信号を送信するように、ＩｒＤＡ送信機２０４に対して信号を出力する。ＩｒＤＡ送信機２０４は、ＩＤを送信する。これと同時に、ＩｒＤＡ受信機２０２は、隣の太陽電池モジュールのＩｒＤＡ送信機２０４からＩＤを受信する。受信したＩＤはフラッシュメモリ３０６が記憶する。
【００６９】
ステップＳ６５４にて、宛先識別部３５０は、ＩＤ送信要求を待受ける。
ステップＳ６５６にて、宛先識別部３５０は、ＩＤ送信要求が示す宛先が基準太陽電池モジュール（基準太陽電池モジュールとは、予め太陽電池モジュール群に含まれていることが分かっている１つの太陽電池モジュールである。）であり、かつ、自らが基準太陽電池モジュールであるか否かを判断する。本実施の形態の場合、自らが基準太陽電池モジュールであるか否かは、図示しないディップスイッチが「ＯＮ」か否かに基づいて判断する。太陽電池モジュール１００の設置時に、このディップスイッチが操作される。なお、この場合、基準太陽電池モジュールに設定された太陽電池モジュールには特別なアドレス「０」を割り振る。ＩＤ送信要求の宛先が基準太陽電池モジュールであり、かつ、自らが基準太陽電池モジュールのモジュール通信装置２０６であると判断した場合（ステップＳ６５６にてＹＥＳ）、処理はステップＳ６５８へと移される。もしそうでないと（ステップＳ６５６にてＮＯ）、処理はステップＳ６６２へと移される。
【００７０】
ステップＳ６５８にて、通信制御部３５２は、配置特定装置１０４の制御部４１０に対し、自分自身と自分自身に隣接する太陽電池モジュール１００のＩＤを送信する。
【００７１】
ステップＳ６６０にて、送信制御部３５４は、ＩＤの送信を終了するか否かを判断する。終了すると判断した場合（ステップＳ６６０にてＹＥＳ）、処理は終了する。もしそうでないと（ステップＳ６６０にてＮＯ）、処理はステップＳ６５０へと移される。
【００７２】
ステップＳ６６２にて、宛先識別部３５０は、ＩＤ送信要求の宛先が自分自身か否かを判断する。自分自身と判断した場合には（ステップＳ６６２にてＹＥＳ）、処理はステップＳ６６４へと移される。もしそうでないと（ステップ６６２にてＮＯ）、処理はステップＳ６５４へと移される。
【００７３】
ステップＳ６６４にて、通信制御部３５２は、自らのＩＤと自らに隣接する太陽電池モジュール１００のＩＤとを配置特定装置１０４の制御部４００に送信する。
【００７４】
以上のような構造およびフローチャートに基づく、太陽光発電システムの動作について説明する。
【００７５】
本実施の形態の場合における配置情報の取得手順を図１１に示す。配置特定装置１０４は、配置情報表示操作を受け（ステップＳ６００、ステップＳ６０２）、すべての太陽電池モジュール１００に対してＩＤ通信指令を送信する（ステップＳ６０４）。
【００７６】
ＩＤ通信指令を受信した各太陽電池モジュール１０は、フラッシュメモリ３０６に記憶されている自らのＩＤをすべての方向のＩｒＤＡ送信機２０４へ送信する。同時にＩｒＤＡ受信機２０２は、隣接する太陽電池モジュール１００のＩｒＤＡ送信機２０４から送信されたＩＤを受信すし、記憶する。１秒間繰り返しＩＤの送受信を繰り返すことにより、確実にＩＤの通信を行う。正常に送受信できない場合は、そこには太陽電池モジュール１００がないと判断し、「ＮＵＬＬ」を記憶する。ＩｒＤＡ受信機２０２は、北側のものを「１」として時計回りかつ昇順にアドレス番号を振っている（これらの番号は、ＩＤとセットにして記憶される）。モジュール通信装置２０６は、アドレス番号「１」が振られた（アドレス番号「１」に対応付けられた）ＩｒＤＡ受信機２０２に対して受信ＩＤ出力要求を行い、北側に設置されている太陽電池モジュール１００のＩＤを出力させる。同様に、モジュール通信装置２０６は、アドレス番号「２」〜「４」の太陽電池モジュール１００のＩＤも同様に得て、フラッシュメモリ３０６に記憶する（ステップＳ６５２）。
【００７７】
配置特定装置１０４は、ＩＤ通信指令の送信後、１秒間待機した上で、基準太陽電池モジュールに対しアドレス指定をしてＩＤ送信要求を送る（ステップＳ６０６）。
【００７８】
基準太陽電池モジュールは、配置特定装置１０４に対して、自らのＩＤと隣接する太陽電池モジュール１００のＩＤとを返信する（ステップＳ６５８）。図６においてＩＤが「Ｆ」の太陽電池モジュール１０が基準太陽電池モジュールであるとするときの、返信のための電文のフォーマットを図１２に示す。自らのＩＤを最初に、その後は北、東、南、西の順に隣接する太陽電池モジュール１００のＩＤを含む。
【００７９】
配置特定装置１０４は、基準太陽電池モジュールからの返信を受け、その電文中に含まれる隣接する太陽電池モジュール１００に対して、ＩＤ送信要求を送信する（ステップＳ６０８）。これを繰り返すことにより、全ての太陽電池モジュール１００が、自らのＩＤと隣接する太陽電池モジュール１００のＩＤとを取得する（ステップＳ６１０）。
【００８０】
配置特定装置１０４は、得られた各太陽電池モジュール１００のＩＤから、太陽電池モジュールの配置情報を作成し（ステップＳ６１２）、それを表示部４０２に渡す。表示部４０２は液晶画面に配置情報を表示する。
【００８１】
以上のようにして、本実施の形態に係る配置特定装置１０４は、各太陽電池モジュール１００の配置を表示することができる。
【００８２】
なお、本実施の形態の第１の変形例において、隣接する太陽電池モジュール１００間の通信には、通信距離の短い無線通信を用いてもよい。赤外線を用いて通信する場合にも、ＩｒＤＡ以外の規格に基づいて通信を行ってもよい。この場合、通信プロトコルによっては、ＩｒＤＡ送受信機のように汚れが問題となることがなくなる。そのようなものの例としては、元々通信機能およびメモリ機能を持つＩＣタグがある。この場合、送信機と受信機との配置は、ＩｒＤＡ送受信機を用いる場合のように一定の間隔を保つ必要はない。
【００８３】
また、本実施の形態の第２の変形例において、ＩｒＤＡ受信機２０２の代わりに光学読取り装置７０２を設置し、ＩｒＤＡ送信機２０４を設置する代わりにＩＤを含む二次元バーコードなどのマーク７００を表示しても良い（このようなマークを表示するのは太陽電池モジュール１００の筐体である）。図１３は、このことを示す概念図である。筐体の各側面に、マーク７００や光学読取り装置７０２が設置されている。この場合にも、ＩｒＤＡ受信機２０２やＩｒＤＡ送信機２０４を設置する場合と同様に、筐体のうちマークを表示する部材は、太陽電池モジュール１００の受光面に対して交差し、かつ、互いに異なる方向へ向けて配置されることが望ましい。複数の光学読取り装置７０２は、いずれも、マーク７００を表示する位置との間隔と方向とが一定となるように配置されることが望ましい。また、ＩＤが記憶される際には、太陽電池モジュール１００の方向に対応付けられることが望ましい。その他の点は、ＩｒＤＡ受信機２０２やＩｒＤＡ送信機２０４を用いる場合と同様である。
【００８４】
また、本実施の形態の第３の変形例において、ステップＳ６５８で送信する電文で、隣接する太陽電池モジュール１００のＩＤに、設置方向を示す情報が付加されていてもよい。たとえば、北方向を設置方向「１」として時計回りに昇順に割り当て、自らのＩＤには「０」を付加することととする。図１４は、この場合の電文のフォーマットを示す図である。設置方向「０」が送信元自身のＩＤを示す。各情報の間はコンマで区切られている。
【００８５】
また、本実施の形態の第４の変形例において、モジュール通信装置と配置特定装置１０４との通信には、電力配線に重畳された搬送波を用いてもよい。
【００８６】
また、本実施の形態の第５の変形例において、太陽電池モジュールは、必ずしもすべての側面にＩｒＤＡ受信機２０２やＩｒＤＡ送信機２０４が設置されなくともよい。図１５は、左右の側面のみにＩｒＤＡ受信機２０２やＩｒＤＡ送信機２０４が設置されている太陽電池モジュールの１０１の外観図である。左右の側面ではなく、上下の側面のみにＩｒＤＡ受信機２０２やＩｒＤＡ送信機２０４が設置されてもよい。図１６は、左右の側面のみにＩｒＤＡ受信機２０２やＩｒＤＡ送信機２０４が設置されている太陽電池モジュール１０１を屋根５０１に設置した場合の設置例を示す概念図である。この場合、太陽電池モジュール１０１は横一列に配置されることとなる。
【００８７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８８】
【図１】本実施の形態に係る太陽光発電システムの構成を示す図である。
【図２】本実施の形態の場合の太陽電池モジュールを受光面から見た外観図である。
【図３】本実施の形態の場合の太陽電池モジュールを裏面から見た外観図である。
【図４】本発明の実施の形態に係るモジュール通信装置の具体的な構成を示す図である。
【図５】本発明の実施の形態に係るモジュール通信装置の機能ブロック図である。
【図６】本発明の実施の形態に係る太陽電池モジュールの具体的な配置を示す図である。
【図７】本発明の実施の形態に係る配置特定装置の具体的な構成を示す図である。
【図８】本発明の実施の形態に係る配置特定装置の制御部の機能ブロック図である。
【図９】本発明の実施の形態に係る配置情報の作成処理の制御の手順を示すフローチャートである。
【図１０】本発明の実施の形態に係るＩＤの通信処理の制御の手順を示すフローチャートである。
【図１１】本実施の形態の場合に係る配置情報の取得手順を示す図である。
【図１２】本発明の実施の形態に係るＩＤの返信用のフォーマットを示す図である。
【図１３】本発明の実施の形態の第２の変形例に係る光学読取り装置とマークとの配置を示す図である。
【図１４】本発明の実施の形態の第３の変形例に係るＩＤの返信用のフォーマットを示す図である。
【図１５】本実施の形態の第５の変形例の場合の太陽電池モジュール裏面から見た外観図である。
【図１６】本発明の実施の形態の第５の変形例に係る太陽電池モジュールの配置例を示す図である。
【図１７】一般的な太陽光発電システムの構成例を示す図である。
【符号の説明】
【００８９】
１００，１０１  太陽電池モジュール、１０２  インバータ、１０３  通信線、１０４  配置特定装置、１０６  開閉器、１０８  制御装置、１１２  商用系統、１２０  太陽電池ストリング、２００  単結晶シリコン系セル、２０２  ＩｒＤＡ受信機、２０４  ＩｒＤＡ送信機、２０６  モジュール通信装置、２０８  コネクタ、２１０  端子ボックス、３００，４１０  ８ビットマイコン、３０２，３０３  ＲＳ４８５通信ＩＣ、３０４，３０５  通信ポート、３０６，４１２  フラッシュメモリ、３０８，４１６  電源回路、３５０  宛先識別部、３５２  通信制御部、３５４  送信制御部、４１４  操作部、４１８  通信部、４２０  液晶コントローラＩＣ、４２２  表示ＲＡＭ、４２４  ＴＦＴ液晶モジュール、４２６  バックライト、４２８  バックライト用電源回路、４３０  乾電池、４３２  筐体、４４０  指示識別部、４４２  指示制御部、４４４  要求制御部、４４６  記憶制御部、４４８  画像作成部、４５０  一般処理部、４６０  第１要求部、４６２  第２要求部、５００，５０１  屋根、７００  マーク、７０２  光学読取り装置。
【図１】
0004987608.tif 000002
【図２】
0004987608.tif 000003
【図３】
0004987608.tif 000004
【図４】
0004987608.tif 000005
【図５】
0004987608.tif 000006
【図６】
0004987608.tif 000007
【図７】
0004987608.tif 000008
【図８】
0004987608.tif 000009
【図９】
0004987608.tif 000010
【図１０】
0004987608.tif 000011
【図１１】
0004987608.tif 000012
【図１２】
0004987608.tif 000013
【図１３】
0004987608.tif 000014
【図１４】
0004987608.tif 000015
【図１５】
0004987608.tif 000016
【図１６】
0004987608.tif 000017
【図１７】
0004987608.tif 000018